(57)【要約】      （修正有）【課題】信号パルスとＡ／Ｄ変換のタイミングが非同期でも信号パルスの検出抜けと信号パルス面積の検出精度の劣化を低減させる信号パルス検出装置と方法およびそれを用いた質量分析装置を提供する。【解決手段】信号パルス検出器１０１はアンプ１０６、Ａ／Ｄ変換器１０７、データ補間器１０８、しきい値処理器１０９、および光量算出器１１０を有し、アンプは光検出器１０５が出力する信号パルスを増幅し、Ａ／Ｄ変換器はアンプが増幅した信号パルスをサンプリングし、データ補間器はＡ／Ｄ変換器がサンプリングしたサンプリングデータを補間する補間データを生成し、しきい値処理器はデータ補間器から出力される補間データ、およびサンプリングデータとしきい値とをそれぞれ比較し、しきい値未満のデータを除去し、光量算出器はしきい値処理器から出力される補間データとサンプリングデータとから光量を算出するようにしている。【選択図】図１
2014222165.tif 000002
【特許請求の範囲】
【請求項１】
光検出器から出力される信号パルスを増幅する増幅器と、
前記増幅器が増幅した信号パルスをサンプリングするＡ／Ｄ変換器と、
前記Ａ／Ｄ変換器がサンプリングしたサンプリングデータを補間する補間データを生成するデータ補間器と、
前記データ補間器から出力される補間データとしきい値、および前記サンプリングデータとしきい値とをそれぞれ比較し、しきい値未満のデータを除去するしきい値処理器と、
前記しきい値処理器から出力される前記補間データと前記サンプリングデータとから光量を算出する光量算出器と、
を有する、信号パルス検出装置。
【請求項２】
請求項１記載の信号パルス検出装置において、
前記データ補間器は、アップサンプリング補間により補間データを生成する、信号パルス検出装置。
【請求項３】
請求項１記載の信号パルス検出装置において、
前記光量算出器は、入射した１つの光子に対して１つの電気的な信号パルスを出力するフォトンカウンティングにより光量を算出する、信号パルス検出装置。
【請求項４】
請求項１記載の信号パルス検出装置において、
前記光量算出器は、前記しきい値処理器から出力される前記補間データのパルス面積、および前記サンプリングデータのパルス面積をそれぞれ算出し、算出した前記パルス面積の合計値から光量を算出する、信号パルス検出装置。
【請求項５】
請求項１記載の信号パルス検出装置において、
さらに、前記しきい値処理器から出力されるサンプリングデータ、および補間データのうち、最もデータ値が高いピークデータを検出し、検出した前記ピークデータを前記サンプリングデータに挿入し、挿入した前記ピークデータの時間情報を付加して、前記光量算出器に出力するデータ圧縮器を有し、
前記光量算出器は、前記データ圧縮器から出力される前記ピークデータと前記サンプリングデータとから光量を算出する、信号パルス検出装置。
【請求項６】
請求項５記載の信号パルス検出装置において、
前記増幅器は、可変利得アンプであり、
さらに、前記データ圧縮器から出力される前記ピークデータに基づいて、前記可変利得アンプのゲインを設定する利得制御器を有し、
前記利得制御器は、前記データ圧縮器から出力される前記ピークデータから、前記信号パルスの信号レベルを前記Ａ／Ｄ変換器の入力範囲内となるように調整する、信号パルス検出装置。
【請求項７】
試料をイオン化するイオン源と、
前記イオン源によってイオン化されたイオンを分離する質量分析器と、
前記質量分析器が分離したイオンに応じて光子を出力するイオン−光変換器と、
前記イオン−光変換器から出力された光子を信号パルスに変換する光検出器と、
前記光検出器から出力される信号パルスから、光量を算出する信号パルス検出部と、
を有し、
前記信号パルス検出部は、
前記光検出器から出力される信号パルスを増幅する増幅器と、
前記増幅器が増幅した信号パルスをサンプリングするＡ／Ｄ変換器と、
前記Ａ／Ｄ変換器がサンプリングしたサンプリングデータを補間する補間データを生成するデータ補間器と、
前記データ補間器から出力される補間データとしきい値、および前記サンプリングデータとしきい値とをそれぞれ比較し、しきい値未満のデータを除去するしきい値処理器と、
前記しきい値処理器から出力される前記補間データと前記サンプリングデータとから光量を算出する光量算出器と、
を有する、質量分析装置。
【請求項８】
請求項７記載の質量分析装置において、
前記データ補間器は、アップサンプリング補間により補間データを生成する、質量分析装置。
【請求項９】
請求項７記載の質量分析装置において、
前記光量算出器は、入射した１つの光子に対して１つの電気的な信号パルスを出力するフォトンカウンティングにより光量を算出する、質量分析装置。
【請求項１０】
請求項７記載の質量分析装置において、
前記光量算出器は、前記しきい値処理器から出力される前記補間データのパルス面積、および前記サンプリングデータのパルス面積をそれぞれ算出し、算出した前記パルス面積の合計値から光量を算出する、質量分析装置。
【請求項１１】
請求項７記載の質量分析装置において、
さらに、前記しきい値処理器から出力されるサンプリングデータ、および補間データのうち、最もデータ値が高いピークデータを検出し、検出した前記ピークデータを前記サンプリングデータに挿入し、挿入した前記ピークデータの時間情報を付加して、前記光量算出器に出力するデータ圧縮器を有し、
前記光量算出器は、前記データ圧縮器から出力される前記ピークデータと前記サンプリングデータとから光量を算出する、質量分析装置。
【請求項１２】
請求項１１記載の質量分析装置において、
前記増幅器は、可変利得アンプであり、
さらに、前記データ圧縮器から出力される前記ピークデータに基づいて、前記可変利得アンプのゲインを設定する利得制御器を有し、
前記利得制御器は、前記データ圧縮器から出力される前記ピークデータから、前記信号パルスの信号レベルを前記Ａ／Ｄ変換器の入力範囲内となるように調整する、質量分析装置。
【請求項１３】
光検出器から出力される信号パルスを増幅器によって増幅するステップと、
前記増幅器が増幅した信号パルスをＡ／Ｄ変換器によってサンプリングするステップと、
前記Ａ／Ｄ変換器がサンプリングしたサンプリングデータを補間する補間データをデータ補間器によって生成するステップと、
しきい値処理器において、前記データ補間器から出力される補間データとしきい値、および前記サンプリングデータとしきい値とをそれぞれ比較し、しきい値未満のデータを除去するステップと、
光量算出器によって、前記しきい値処理器から出力される前記補間データと前記サンプリングデータとから光量を算出するステップと、
を有する、信号パルス検出方法。
【請求項１４】
請求項１３記載の信号パルス検出方法において、
さらに、データ圧縮器によって、前記しきい値処理器から出力されるサンプリングデータ、および補間データのうち、最もデータ値が高いピークデータを検出し、検出した前記ピークデータを前記サンプリングデータに挿入し、挿入した前記ピークデータの時間情報を付加して、前記光量算出器に出力するステップを有し、
前記光量を算出するステップでは、前記光量算出器が、前記データ圧縮器から出力される前記ピークデータと前記サンプリングデータとから光量を算出する、信号パルス検出方法。
【請求項１５】
請求項１４記載の信号パルス検出方法において、
さらに、利得制御器によって、前記データ圧縮器から出力される前記ピークデータに基づいて、前記増幅器のゲインを設定し、前記信号パルスの信号レベルを前記Ａ／Ｄ変換器の入力範囲内となるように調整するステップを有する、信号パルス検出方法。
【発明の詳細な説明】
【技術分野】
【０００１】
本発明は、信号パルス検出装置、質量分析装置、および信号パルス検出方法に関し、特に、光電子増幅管によって変換された検出信号から光量を検出する技術に関する。
【背景技術】
【０００２】
工業材料分野、環境分野、製薬分野、またはバイオ分野などにおいては、試料の含有成分分析のために、試料に光を照射し、その透過光や散乱光、あるいは光照射により試料から発生する蛍光を光量検出装置にて検出して測定している。
【０００３】
例えば半導体検査装置では、半導体ウェハに光を照射し、その透過光あるいは反射光を測定している。また、大気中に浮遊するエアロゾルの測定では、大気中にレーザを照射し、その散乱光を測定している。
【０００４】
この種の光量検出技術においては、例えば微弱光量から強光量まで広いダイナミックレンジで測定する技術（例えば、特許文献１参照）や、高計数率においても波形歪みの少ない高精度の測定を行う技術（例えば特許文献２参照）などが知られている。
【先行技術文献】
【特許文献】
【０００５】
【特許文献１】特開２０１２−３７２６７号公報
【特許文献２】特開平１１−３７８５１号公報
【発明の概要】
【発明が解決しようとする課題】
【０００６】
ところが、上記のような光量検出技術では、次のような問題点があることが本発明者により見い出された。
【０００７】
前述した特許文献１は、微弱な光量検出において、信号パルスをアナログ／デジタル変換した後、しきい値処理し、パルス面積から光量を算出することで、２つ以上の光子が光検出器に入力された場合でも光子数を漏れなく検出するものである。
【０００８】
しかし、この検出技術では、信号パルスのアナログ／デジタル変換のサンプリングタイミングに依存して、信号パルス波高の検出結果が変動してしまう。これにより、しきい値処理において取得対象である信号パルスを誤って除去し、検出抜けが発生してしまうという問題がある。加えて、信号パルス面積も変動するために、光量の検出精度が劣化するという課題がある。
【０００９】
ここで、図１５を用いて、前記課題を詳細に説明する。
【００１０】
この図１５は、しきい値を大きく超える波高を持つ２つの同波形の信号パルス１１００、１１０１と、しきい値と同等の波高を持つ２つの同波形の信号パルス１１０２、１１０３をしきい値処理し、信号パルス面積を求めた例を示した説明図である。また、図中の黒丸は、Ａ／Ｄ変換器によるサンプリングデータを示している。
【００１１】
しきい値処理後の信号パルス１１００と信号パルス１１０１とを比較すると、図１５の（１）に示すように、Ａ／Ｄ（Analog/Digital）変換器のサンプリングタイミングが異なると、同じ信号パルスでも検出する波高が異なっている。
【００１２】
また、信号パルス１１０２と信号パルス１１０３とを比較した場合、信号パルス１１０２では、検出した波高、すなわちサンプリングデータがしきい値を超えているために信号として取得される。
【００１３】
一方、信号パルス１１０３では、図１５（２）のように、波高は、しきい値を超えているが、検出した波高、すなわちサンプリングデータがしきい値より低いために、除去されてしまうことになる。
【００１４】
加えて、Ａ／Ｄ変換後の信号パルス１１００と信号パルス１１０１との信号パルス面積を比較すると、図１５（３）のように、サンプリングタイミングの違いによって、面積も異なっている。
【００１５】
すなわち、Ａ／Ｄ変換のサンプリングタイミングに依存して、信号パルス波高の検出結果が変動してしまうことになる。このため、しきい値処理での信号パルスの検出抜けと、信号パルス面積の変動により光量の検出精度が劣化してしまうことになる。
【００１６】
また、前記した特許文献２は、光検出器が出力する信号パルスを多値化処理回路にてＡ／Ｄ変換し、しきい値処理を実施する。演算部では、しきい値を超えた信号パルスをカウントして光子量を算出する。多値化処理回路は、複数のしきい値を持つことで信号パルスの波高から１つの信号パルスに含まれる光量を検出する。
【００１７】
このような検出技術では、演算部と多値化処理回路との動作を同期装置で光源と同期させる必要がある。しかし、微弱な光量を検出する場合、光検出器が出力する信号パルスは確率的となるため光源と信号パルスが非同期となる。従って、信号パルスと光検出器とを同期させることができない。
【００１８】
本発明の目的は、微弱な光量検出において、光検出器が出力する信号パルスとＡ／Ｄ変換のタイミングが非同期であっても、信号パルスの検出抜けと信号パルス面積の検出精度の劣化を低減させることのできる技術を提供することにある。
【００１９】
本発明の前記ならびにその他の目的と新規な特徴については、本明細書の記述および添付図面から明らかになるであろう。
【課題を解決するための手段】
【００２０】
一実施の形態による信号パルス検出装置は、以下のような特徴を有するものである。
【００２１】
信号パルス検出装置は、増幅器と、Ａ／Ｄ変換器と、データ補間器と、しきい値処理器と、光量算出器と、を有する。
【００２２】
増幅器は、光検出器から出力される信号パルスを増幅し、Ａ／Ｄ変換器は、増幅器が増幅した信号パルスをサンプリングする。データ補間器は、Ａ／Ｄ変換器がサンプリングしたサンプリングデータを補間する補間データを生成する。
【００２３】
しきい値処理器は、データ補間器から出力される補間データとしきい値、およびサンプリングデータとしきい値とをそれぞれ比較し、しきい値未満のデータを除去し、光量算出器は、しきい値処理器から出力される補間データとサンプリングデータとから光量を算出する。
【００２４】
また、一実施の形態による質量分析装置は、試料をイオン化するイオン源と、該イオン源によってイオン化されたイオンを分離する質量分析器と、該質量分析器が分離したイオンに応じて光子を出力するイオン−光変換器と、該イオン−光変換器から出力された光子を信号パルスに変換する光検出器と、該光検出器から出力される信号パルスから、光量を算出する信号パルス検出部と、を有する。
【００２５】
信号パルス検出部は、増幅器と、Ａ／Ｄ変換器と、データ補間器と、しきい値処理器と、光量算出器と、を有する。増幅器は、光検出器から出力される信号パルスを増幅し、Ａ／Ｄ変換器は、増幅器が増幅した信号パルスをサンプリングする。データ補間器は、Ａ／Ｄ変換器がサンプリングしたサンプリングデータを補間する補間データを生成する。
【００２６】
しきい値処理器は、データ補間器から出力される補間データとしきい値、およびサンプリングデータとしきい値とをそれぞれ比較し、しきい値未満のデータを除去し、光量算出器は、しきい値処理器から出力される補間データとサンプリングデータとから光量を算出する。
【００２７】
また、一実施の形態による信号パルス検出方法は、以下のステップを有する。
【００２８】
光検出器から出力される信号パルスを増幅器によって増幅するステップと、増幅器が増幅した信号パルスをＡ／Ｄ変換器によってサンプリングするステップと、Ａ／Ｄ変換器がサンプリングしたサンプリングデータを補間する補間データをデータ補間器によって生成するステップである。
【００２９】
しきい値処理器において、データ補間器から出力される補間データとしきい値、およびサンプリングデータとしきい値とをそれぞれ比較し、しきい値未満のデータを除去するステップである。光量算出器によって、しきい値処理器から出力される補間データとサンプリングデータとから光量を算出するステップである。
【発明の効果】
【００３０】
本願において開示される発明のうち、代表的なものによって得られる効果を簡単に説明すれば以下のとおりである。
【００３１】
高精度な信号検出を実現することができる。
【図面の簡単な説明】
【００３２】
【図１】実施の形態１による質量分析装置における構成の一例を示す説明図である。
【図２】図１の質量分析装置に設けられた信号パルス検出器の動作例を示す説明図である。
【図３】図２のデータ補間器における構成の一例、および動作例を示した説明図である。
【図４】図２のしきい値処理器における構成の一例、および動作例を示した説明図である。
【図５】図２の光量算出器における構成の一例、および動作例を示した説明図である。
【図６】図２の光量算出器における構成の他の例、および動作例を示した説明図である。
【図７】図２の信号パルス検出器による信号パルスの検出精度を計算した一例を示す説明図である。
【図８】実施の形態２による質量分析装置に設けられた信号パルス検出器の一例を示す説明図である。
【図９】図８のデータ圧縮器の構成例、および動作例を示した説明図である。
【図１０】実施の形態１における図２の信号パルス検出器と、図８の信号パルス検出器とのデータ形式の比較例を示す説明図である。
【図１１】図８の信号パルス検出器による信号パルスの検出精度を計算した一例を示す説明図である。
【図１２】実施の形態３による信号パルス検出器の一例を示す説明図である。
【図１３】実施の形態４による信号パルス検出器を用いて構成された分光光度計の一例を示す説明図である。
【図１４】実施の形態４による信号パルス検出器を用いて構成された電子顕微鏡の一例を示す説明図である。
【図１５】本発明者の検討によるしきい値を大きく超える波高を持つ２つの同波形の信号パルスと、しきい値と同等の波高を持つ２つの同波形の信号パルスをしきい値処理し、信号パルス面積を求めた例を示した説明図である。
【発明を実施するための形態】
【００３３】
以下の実施の形態においては便宜上その必要があるときは、複数のセクションまたは実施の形態に分割して説明するが、特に明示した場合を除き、それらはお互いに無関係なものではなく、一方は他方の一部または全部の変形例、詳細、補足説明等の関係にある。
【００３４】
また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００３５】
さらに、以下の実施の形態において、その構成要素（要素ステップ等も含む）は、特に明示した場合および原理的に明らかに必須であると考えられる場合等を除き、必ずしも必須のものではないことは言うまでもない。
【００３６】
同様に、以下の実施の形態において、構成要素等の形状、位置関係等に言及するときは特に明示した場合および原理的に明らかにそうではないと考えられる場合等を除き、実質的にその形状等に近似または類似するもの等を含むものとする。このことは、上記数値および範囲についても同様である。
【００３７】
また、実施の形態を説明するための全図において、同一の部材には原則として同一の符号を付し、その繰り返しの説明は省略する。なお、図面をわかりやすくするために平面図であってもハッチングを付す場合がある。
【００３８】
（実施の形態１）
〈発明の概要〉
本発明の第１の概要は、信号パルス検出装置（信号パルス検出器１０１）である。この信号パルス検出装置は、増幅器（アンプ１０６）、Ａ／Ｄ変換器（Ａ／Ｄ変換器１０７）、データ補間器（データ補間器１０８）、しきい値処理器（しきい値処理器１０９）、および光量算出器（光量算出器１１０）を有する。
【００３９】
増幅器は、光検出器（光検出器１０５）から出力される信号パルスを増幅する。Ａ／Ｄ変換器は、増幅器が増幅した信号パルスをサンプリングする。データ補間器は、Ａ／Ｄ変換器がサンプリングしたサンプリングデータを補間する補間データを生成する。
【００４０】
しきい値処理器は、データ補間器から出力される補間データとしきい値、およびサンプリングデータとしきい値とをそれぞれ比較し、しきい値未満のデータを除去する。光量算出器は、しきい値処理器から出力される補間データとサンプリングデータとから光量を算出する。
【００４１】
本発明の第２の概要は、質量分析装置（質量分析装置１００）である。この質量分析装置は、イオン源（イオン源１０２）、質量分析器（質量分析器１０３）、イオン−光変換器（イオン−光変換器１０４）、光検出器（光検出器１０５）、および信号パルス検出部（信号パルス検出器１０１）を有する。
【００４２】
イオン源は、試料をイオン化する。質量分析器は、イオン源によってイオン化されたイオンを分離する。イオン−光変換器は、質量分析器が分離したイオンに応じて光子を出力する。
【００４３】
光検出器は、イオン−光変換器から出力された光子を信号パルスに変換する。信号パルス検出部は、光検出器から出力される信号パルスから、光量を算出する。
【００４４】
また、信号パルス検出部は増幅器（アンプ１０６）、Ａ／Ｄ変換器（Ａ／Ｄ変換器１０７）、データ補間器（データ補間器１０８）、しきい値処理器（しきい値処理器１０９）、および光量算出器（光量算出器１１０）を有する。
【００４５】
増幅器は、光検出器から出力される信号パルスを増幅する。Ａ／Ｄ変換器は、増幅器が増幅した信号パルスをサンプリングする。データ補間器は、Ａ／Ｄ変換器がサンプリングしたサンプリングデータを補間する補間データを生成する。
【００４６】
しきい値処理器は、データ補間器から出力される補間データとしきい値、およびサンプリングデータとしきい値とをそれぞれ比較し、しきい値未満のデータを除去する。光量算出器は、しきい値処理器から出力される補間データとサンプリングデータとから光量を算出する。
【００４７】
本発明の第３の概要は、信号パルス検出方法である。この信号パルス検出方法は、以下の第１〜第５のステップを有する。
【００４８】
第１のステップは、光検出器（光検出器１０５）から出力される信号パルスを増幅器（アンプ１０６）によって増幅するステップである。第２のステップは、増幅器が増幅した信号パルスをＡ／Ｄ変換器（Ａ／Ｄ変換器１０７）によってサンプリングするステップである。
【００４９】
第３のステップは、Ａ／Ｄ変換器がサンプリングしたサンプリングデータを補間する補間データをデータ補間器（データ補間器１０８）によって生成するステップである。第４のステップは、しきい値処理器（しきい値処理器１０９）において、データ補間器から出力される補間データとしきい値、およびサンプリングデータとしきい値とをそれぞれ比較し、しきい値未満のデータを除去するステップである。
【００５０】
第５のステップは、光量算出器（光量算出器１１０）によって、しきい値処理器から出力される補間データとサンプリングデータとから光量を算出するステップである。
【００５１】
以下、上記した概要に基づいて、実施の形態を詳細に説明する。
【００５２】
〈概要〉
本実施の形態１では、より微量な含有成分を検出する質量分析装置に関した微弱な光量検出において、光検出器が出力する信号パルスをＡ／Ｄ変換し、信号パルス波形のピークを補間した後、波高がしきい値以下の信号パルスを除去し、しきい値処理後の信号パルスから光量を算出する。
【００５３】
これによって、光検出器が出力する信号パルスとＡ／Ｄ変換のタイミングが非同期であっても、信号パルスの検出抜けと信号パルス面積の演算結果の変動を抑制することで、光量の検出精度を向上させるものである。
【００５４】
〈質量分析装置の構成例〉
図１は、本実施の形態１による質量分析装置における構成の一例を示す説明図である。
【００５５】
質量分析装置１００は、各種のイオン化法で物質を原子、分子レベルの微細なイオンにし、その質量数と数を測定することにより、物質の同定や定量などを行う。質量分析装置１００は、図１に示すように、信号パルス検出器１０１、イオン源１０２、質量分析器１０３、イオン−光変換器１０４、および光検出器１０５を有する。
【００５６】
イオン源１０２は、試料をイオン化する。質量分析器１０３は、イオン源１０２によってイオン化されたイオンを分離し、イオン−光変換器１０４に入力する。
【００５７】
イオン−光変換器１０４は、入力されたイオンに応じて光子を出力する。例えば、イオン−光変換器１０４には、シンチレータが用いられる。光検出器１０５には、イオン−光変換器１０４から出力された光子が入射される。
【００５８】
光検出器１０５は、入射された光子を電気信号に変換する。例えば、光検出器１０５には、入射した１つの光子に対して１つの電気的な信号パルスを出力するフォトンカウンティング用光電子増倍管が用いられる。
【００５９】
〈信号パルス検出装置の構成例〉
信号パルス検出器１０１は、アンプ１０６、Ａ／Ｄ変換器１０７、データ補間器１０８、しきい値処理器１０９、光量算出器１１０、および入出力装置１１１を有する。
【００６０】
アンプ１０６は、光検出器１０５から出力される信号パルスを増幅する。Ａ／Ｄ変換器１０７は、アンプ１０６から出力された信号パルスをサンプリングしてデジタルデータとして出力する。
【００６１】
データ補間器１０８は、Ａ／Ｄ変換器１０７によってデジタル値に変換した信号パルスのピークを補間する。しきい値処理器１０９は、データ補間器１０８によって補間された信号パルスの波高がしきい値以下となる信号パルスを除去する。
【００６２】
光量算出器１１０は、しきい値処理器１０９から出力された信号パルスデータから光量を算出する。入出力装置１１１は、設定データなどの各種データを入出力する。
【００６３】
〈信号パルス検出器の動作例〉
図２は、図１の質量分析装置１００に設けられた信号パルス検出器１０１の動作例を示す説明図である。
【００６４】
光検出器１０５の出力信号は、アンプ１０６によって増幅された後、Ａ／Ｄ変換器１０７に入力される。Ａ／Ｄ変換器１０７は、アンプ１０６からの出力信号をサンプリングしてデジタルデータに変換し、図２の上方左側に示すようにサンプリングデータとして出力する。
【００６５】
データ補間器１０８は、Ａ／Ｄ変換器１０７のサンプリングデータが入力されると、該サンプリングデータと算出した補間データとをサンプリングデータ／補間データとして出力する。補間データは、図２の上方中央部に示すようにサンプリングデータに基づいて連続したサンプリングデータの間に存在する信号データを計算したデータである。
【００６６】
補間データ数Ｎがｎ個の場合、図２の下側に示すように、サンプリングデータＺ15とサンプリングデータＺ14の間には、ｎ点の補間データＺ15,1〜Ｚ15,nがデータ列として算出されて付加されることになる。
【００６７】
補間データ数Ｎが３個の場合、サンプリングデータＺ15とサンプリングデータＺ14の間には、３点の補間データＺ15,1，Ｚ15,2，Ｚ15,3がデータ列として算出されて付加されることになる。
【００６８】
また、補間データの計算方法としては、アップサンプリング補間、ラグランジュ補間、スプライン補間、あるいは線形補間など多数の方式が知られており、本実施の形態では、いずれの計算方法を利用してもよい。
【００６９】
データ補間器１０８から出力されたサンプリングデータ／補間データは、しきい値処理器１０９に入力される。しきい値処理器１０９は、サンプリングデータ／補間データとしきい値とを比較する。そして、図２の上方右側に示すように、しきい値未満のサンプリングデータ／補間データを基準値に置き換え、しきい値以上のサンプリング／補間データを光量算出器１１０に出力する。しきい値処理器１０９におけるしきい値は、例えば入出力装置１１１によって設定される。
【００７０】
光量算出器１１０には、入出力装置１１１から出力される制御データである基準値データが入力されており、しきい値処理器１０９が出力するサンプリングデータ／補間データから光量を算出する。
【００７１】
光量算出器１１０が算出した光量の算出結果は、入出力装置１１１に出力される。入出力装置１１１では、光量算出器１１０の算出結果に基づいて、信号パルスのカウンティングを行う。ここで、算出方法は、１つの信号パルスを１つの光子としてカウントするフォトンカウンティング方法などでよい。
【００７２】
あるいは複数の光子が短時間に入射し、複数の信号パルスが重畳した場合にも対応するため、予め記憶していた光子が１個入射したときの信号パルスの面積を基準にして、１個の信号パルスに含まれる光子数を求めるようにしてもよい。
【００７３】
〈データ補間器構成例、および動作例〉
図３は、図２のデータ補間器１０８における構成の一例、および動作例を示した説明図である。この図３では、データ補間器１０８がアップサンプリング方式によるデータ補間器として構成された例を示している。
【００７４】
アップサンプリング方式のデータ補間器１０８は、図３に示すように、アップサンプラ３０１、および低域通過フィルタ３０２を有する。
【００７５】
アップサンプラ３０１は、図３の上方の左側に示す入力されたサンプリングデータに並列に’０’データを挿入する。データ補間数Ｎがｎ個の場合、ｎ列の’０’データ列を並列に挿入する。データ補間数Ｎが、例えば１個の場合には、図３の上方の中央部に示すように、１個の’０’が挿入される。
【００７６】
低域通過フィルタ３０２は、アップサンプラ３０１が’０’データを挿入したことにより発生したイメージ成分を除去するアンチイメージングフィルタリング処理を実施する。この低域通過フィルタ３０２のフィルタリング処理により、アップサンプラ３０１にて並列挿入した系列に補間データが演算される。
【００７７】
前述したように、データ補間数Ｎが１個の場合には、図３の上方の右側に示すように、補間データのデータ列は１個となり、各サンプリングデータの間に１個の補間データが付与され、サンプリングデータ／補間データとして出力される。
【００７８】
また、データ補間数Ｎがｎ個の場合には、補間データのデータ列がｎ個となり、各サンプリングデータの間にｎ個の補間データが付与され、サンプリングデータ／補間データとして出力される。
【００７９】
〈しきい値処理器の構成例、および動作例〉
図４は、図２のしきい値処理器１０９における構成の一例、および動作例を示した説明図である。
【００８０】
しきい値処理器１０９は、図４に示すように、ｍ個の比較器４０１、およびｍ個の選択器４０２をそれぞれ有する。ここで、ｍは、データ補間数Ｎがｎ個の場合、ｎ＋１となる。
【００８１】
比較器４０１の一方の入力部には、しきい値がそれぞれ入力されるように接続されている。比較器４０１の他方の入力部には、サンプリングデータ、および並列挿入されたｎ個のデータ列からなる補間データがそれぞれ入力されるように接続されている。
【００８２】
例えば、図４の上方左側に示すように、データ補間数Ｎが１個の場合、しきい値処理器１０９には、２個の比較器４０１が設けられる。そして、一方の比較器４０１には、サンプリングデータが入力され、もう１つの比較器４０１には、１個の補間データが入力されることになる。
【００８３】
これらｍ個の比較器４０１は、図３のデータ補間器１０８から入力されるサンプリングデータ、および補間データをデータ列毎にしきい値と比較し、その比較結果を選択器４０２に出力する。
【００８４】
ｍ個の選択器４０２の一方の入力部には、サンプリングデータ、および並列挿入されたｎ個のデータ列からなる補間データがそれぞれ入力される。また、ｍ個の選択器４０２の他方の入力部には、基準値データがそれぞれ入力されるように接続されている。
【００８５】
この基準値データは、図１の入出力装置１１１などによって設定される。ｍ個の選択器４０２の制御端子には、ｍ個の比較器４０１から出力される比較結果がそれぞれ入力されるように接続されている。
【００８６】
これら選択器４０２は、比較器４０１の比較結果に基づいて、一方の入力部、または他方の入力部のいずれかに入力される信号を選択してそれぞれ出力する。
【００８７】
ｍ個の選択器４０２は、入力されたサンプリングデータ、あるいは補間データがしきい値未満であると、ｍ個の比較器４０１がそれぞれ判定した場合には、他方の入力部に入力された基準値データを出力する。
【００８８】
一方、入力されたサンプリングデータ、あるいは補間データがしきい値以上であると、比較器４０１が判定した場合には、一方の入力部に入力されたサンプリングデータ、または補間データを出力する。
【００８９】
なお、しきい値と基準値データは、前述したように、入出力装置１１１を用いてユーザが設定してもよいし、あるいは測定結果から算出してもよい。測定結果から算出する場合、例えば、しきい値処理により除去するノイズ信号は、光検出器に光が入射されていない無光時の検出信号であることから、事前に無光時のノイズ信号を取得し、この結果からしきい値および基準値を決定する。まず、無光時のノイズ信号を取得し、その平均値ｍおよびばらつきσを計算する。
【００９０】
しきい値処理のためのしきい値Ｖｔｈは、平均値ｍとばらつきσから、Ｖｔｈ＝ｍ＋３σと決定する。また基準値Ｖｂａｓｅはノイズ信号の平均値ｍから、Ｖｂａｓｅ＝ｍとする。
【００９１】
このように、しきい値処理器１０９は、データ補間器１０８から出力されるサンプリングデータ／補間データとしきい値とを比較し、しきい値未満のデータを基準値に置き換えて出力する。また、しきい値以上のデータは、そのままサンプリング、または補間データとして出力する。
【００９２】
〈光量算出器の構成例、および動作例〉
図５は、図２の光量算出器１１０における構成の一例、および動作例を示した説明図である。
【００９３】
図５（ａ）に示す光量算出器１１０は、フォトンカウンティング方法による光量算出器である。このフォトンカウンティング方法による光量算出器１１０は、複数のパルス検出器５０１、遅延器５０２、および加算器５０３を有する。
【００９４】
パルス検出器５０１の数は、比較器４０１と同じ数のｍ個である。これらパルス検出器５０１には、図４のしきい値処理器１０９から出力されるサンプリング、および補間データが入力される。
【００９５】
これらパルス検出器５０１の第１の入力部には、基準値データがそれぞれ入力されている。これらパルス検出器５０１の第２の入力部には、遅延器５０２から出力される遅延された補間データ、サンプリングデータ、および並列挿入されたｎ−１個のデータ列からなる補間データがそれぞれ入力されるように接続されている。また、パルス検出器５０１の第３の入力部には、サンプリングデータ、および並列挿入されたｎ個のデータ列からなる補間データがそれぞれ入力されるように接続されている。
【００９６】
具体的には、１個目のパルス検出器５０１の第２の入力部には、遅延器５０２から出力される遅延された補間データが入力され、該パルス検出器５０１の第３の入力部には、サンプリングデータが入力されるように接続されている。
【００９７】
２つ目のパルス検出器５０１の第２の入力部には、サンプリングデータが入力され、該パルス検出器５０１の第３の入力部には、ｎ個の補間データのうち、１つ目の補間データがそれぞれ入力されるように接続されている。
【００９８】
３つ目のパルス検出器５０１の第２の入力部には、ｎ個の補間データのうち、１個目の補間データが入力され、該パルス検出器５０１の第３の入力部には、２個目の補間データが入力されるように接続されている。
【００９９】
そして、ｍ個目のパルス検出器５０１の第２の入力部には、ｎ−１個目の補間データが入力され、該パルス検出器５０１の第３の入力部には、ｎ個目の補間データが入力されるように接続されている。これらパルス検出器５０１は、入力された２つのデータから信号パルスの有無を判定する。
【０１００】
遅延器５０２には、最終系列の補間データ、すなわちｎ個目の補間データが入力されるように接続されている。遅延器５０２には、入力されたｎ個目の補間データを遅延させて１個目のパルス検出器５０１に出力する。
【０１０１】
このように、最終系列の補間データを遅延させることによって、該補間データとサンプリングデータとを１個目のパルス検出器５０１によって比較することができる。
【０１０２】
図５（ｂ）は、パルス検出器５０１の構成の一例を示す説明図である。
【０１０３】
パルス検出器５０１は、図示するように、比較器５１０，５１１、および論理積回路５１２を有する。比較器５１０は、第１の入力部に入力される基準データと第２の入力部に入力される入力データとが同じデータであるか否かを判定し、同じであると判定した際に例えば、’１’を出力する。ここで、入力データは、サンプリング、または補間データである。
【０１０４】
比較器５１１は、第１の入力部に入力される基準データと第３の入力部に入力される入力データとを比較し、第３の入力部に入力される入力データが、第１の入力部に入力される基準データよりも大きい場合に’１’を出力する。ここでも、入力データは、サンプリング、または補間データである。論理積回路５１２は、比較器５１０の比較結果と比較器５１１の比較結果との論理積をとって出力する。
【０１０５】
パルス検出器５０１は、第２の入力部に入力された入力データが基準値データと同じであり、かつ第３の入力部に入力された入力データが基準値データよりも大きい場合にのみ、’１’を加算器５０３に出力する。この条件を満たしたパルス検出器５０１のみが’１’を出力することになる。加算器５０３には、パルス検出器５０１の出力結果を加算し、合計値を出力する。
【０１０６】
図５（ｃ）は、サンプリング／補間データと出力結果との関係を示す説明図である。図５（ｃ）上方に示すサンプリング／補間データが光量算出器１１０に入力される。光量算出器１１０は、第２の入力部に入力された入力データが基準値データと同じであり、かつ第３の入力部に入力された入力データが基準値データよりも大きい場合に、’１’を出力する。そして、加算器５０３を介して’１’が、図１の入出力装置１１１に出力される。
【０１０７】
そして、入出力装置１１１は、加算器５０３から出力される信号の有（’１’）／無（’０’）を判定することにより、信号パルスのカウンティングを行う。
【０１０８】
〈光量算出器の他の構成例、および動作例〉
図６は、図２の光量算出器１１０における構成の他の例、および動作例を示した説明図である。
【０１０９】
この図６（ａ）に示す光量算出器１１０は、信号パルス面積方法による光量算出器である。信号パルス面積方法による光量算出器１１０は、複数の比較器６０１、複数の選択器６０２、加算器６０３、およびパルス面積演算器６０４を有する。
【０１１０】
比較器６０１、および選択器６０２は、それぞれｍ個（＝ｎ＋１）の数が設けられている。ｍ個の比較器６０１の一方の入力部には、サンプリングデータ、および並列挿入されたｎ個のデータ列からなる補間データがそれぞれ入力されている。この比較器６０１の他方の入力部には、基準値データがそれぞれ入力されている。
【０１１１】
また、ｍ個の選択器６０２の制御端子には、比較器６０１からの比較結果がそれぞれ入力されるように接続されている。選択器６０２の一方の入力部には、サンプリングデータ、および並列挿入されたｎ個のデータ列からなる補間データがそれぞれ入力されており、該選択器６０２の他方の入力部には、入出力装置１１１から出力されるデータである’０’がそれぞれ入力されるように接続されている。
【０１１２】
これら選択器６０２の出力部は、加算器６０３の入力部にそれぞれ接続されており、該加算器６０３の加算結果はパルス面積演算器６０４に入力されるように接続されている。
【０１１３】
比較器６０１は、基準値データと入力されるサンプリングデータ、または補間データとをそれぞれ比較し、比較結果を選択器６０２に出力する。選択器６０２は、基準値データとサンプリングデータ、または補間データとが等しい場合、’０’をそれぞれ出力する。
【０１１４】
また、サンプリングデータ、または補間データが、基準値以上の場合には、入力されたサンプリングデータ、または補間データを出力する。加算器６０３は、選択器６０２から入力されたデータ値の合計値を出力する。
【０１１５】
パルス面積演算器６０４は、加算器６０３から出力される加算結果に基づいて、パルス面積を演算して出力する。
【０１１６】
図６（ｂ）は、パルス面積演算器６０４の構成の一例を示す説明図である。
【０１１７】
パルス面積演算器６０４は、図示するように、加算器６０５、出力制御器６０６、遅延器６０７、およびパルス検出器６０８を有する。パルス検出器６０８には、加算器６０３から出力される加算結果、遅延器６０７によって遅延された加算器６０３から出力される直前の加算結果、および’０’がそれぞれ入力されるように接続されている。
【０１１８】
パルス検出器６０８は、加算器６０３から出力される加算結と、遅延された直前の加算結果のうち、時間が早い方のデータが’０’であり、時間が遅い方のデータが’０’より大きい場合、１個の信号パルスの終了と判定し、’１’を出力する。
【０１１９】
パルス検出器６０８の出力部には、加算器６０５の入力部、および出力制御器６０６の入力部にそれぞれ接続されている。加算器６０５には、加算器６０３から出力される加算結果、および出力制御器６０６の出力信号がそれぞれ入力されるように接続されている。
【０１２０】
出力制御器６０６は、パルス検出器６０８からの出力信号が’０’の場合、加算器６０５から出力されるデータをそのまま加算器６０５へ出力する。このため、加算器６０５は、パルス検出器６０８の出力が’０’の状態のとき、入力データを累積加算していく。また、パルス面積演算器６０４の出力結果をゼロにする。
【０１２１】
パルス検出器６０８から’１’が入力されると、出力制御器６０６は、加算器６０５から入力される累積加算結果をパルス面積演算器６０４の結果として出力する。これと同時に、加算器６０５は、’０’にクリアされる。
【０１２２】
図６（ｃ）は、光量算出器１１０に入力される信号パルスと出力データの関係を示す説明図である。
【０１２３】
しきい値処理器１０９から出力された図６（ｃ）の上方に示すサンプリングデータ／補間データは、しきい値処理器１０９から出力された図６（ｃ）の中央部に示すように、サンプリングデータ、および補間データ毎にデータ値がそれぞれ算出される。そして、算出されたデータ値を加算することにより、図６（ｃ）の下方に示すように、パルスの面積を算出する。
【０１２４】
以上から、信号パルス毎の面積を取得することが可能となる。
【０１２５】
〈信号パルスの検出精度〉
図７は、図２の信号パルス検出器１０１による信号パルスの検出精度を計算した一例を示す説明図である。
【０１２６】
図７（ａ）は、検出精度の計算に用いた理想的な信号パルス波形の例を示している。信号パルスの立ち上りは、時間に対して比例して増加し、立ち下りは、指数関数で減衰している。
【０１２７】
図７（ｂ）は、図７（ａ）に示した信号パルス波形を図２のＡ／Ｄ変換器１０７によってサンプリングしたデータの一例を示したものであり、サンプリングのタイミングをシフトさせたサンプリングデータを重ねて表示している。このとき、図示するように、サンプリングタイミングに依存して信号パルス波高が２２％程度、面積が１３％程度変動している。
【０１２８】
図７（ｃ）は、図７（ｂ）のサンプリングデータをアップサンプラ方式によって補間したデータの一例を示している。図７（ｃ）においては、データ補間数Ｎをｎ＝２として補間処理したデータ例を示している。
【０１２９】
このとき、図７（ｃ）に示すように、波高の変動が１１％程度、面積が５％程度の変動となっており、補間処理を行うことによって、波高、および面積の変動が１／２程度以下に低減されている。
【０１３０】
すなわち、図２の信号パルス検出器１０１による補間処理によって、サンプリングのタイミングに依存した信号パルスの波高、および面積の検出結果の変動を低減することができる。
【０１３１】
これにより、補間処理後のしきい値処理にて、しきい値と信号パルスの波高とを正確に比較することができ、また、しきい値処理後の光量算出器１１０にて正確に光量を算出することが可能となる。
【０１３２】
以上より、Ａ／Ｄ変換器１０７によってサンプリングされた信号パルスのピークを補間した後にしきい値処理し、光量を算出することによって、図１の光検出器１０５が出力する信号パルスとＡ／Ｄ変換器１０７のサンプリングタイミングが非同期であっても、信号パルスのピークと波形面積の変動を抑制することができる。すなわち、信号パルスの検出抜けを抑制し、光量の検出精度を向上させることが可能となる。
【０１３３】
（実施の形態２）
〈概要〉
前記実施の形態１の信号パルス検出器１０１では、データ補間数Ｎが多くなるほど、光量の検出精度を向上させることができる。しかし、データ補間数Ｎが多くなれば、データ数が増大するだけでなく、サンプリングデータ／補間データから光量を算出する光量算出器１１０などの回路規模が増大してしまうことになる。
【０１３４】
そこで、本実施の形態２では、データ補間数Ｎの数が少なくても、光量の検出精度を向上させる技術について説明する。
【０１３５】
〈信号パルス検出器の構成例〉
図８は、本実施の形態２による質量分析装置に設けられた信号パルス検出器の一例を示す説明図である。なお、ここでは、説明が煩雑になることを避けるため、前記実施の形態１と同一の符号をつけた構成要素についての説明は省略する。
【０１３６】
信号パルス検出器１０１は、図８に示したように、アンプ１０６、Ａ／Ｄ変換器１０７、データ補間器１０８、しきい値処理器１０９、新たに追加されたデータ圧縮器８００、光量算出器１１０、および入出力装置１１１を有する。
【０１３７】
データ圧縮器８００は、しきい値処理器１０９と光量算出器１１０との間に設けられている。このデータ圧縮器８００は、しきい値処理器１０９から出力されたサンプリングデータ、および補間データのうち、最もデータ値が高いピークデータを検出し、サンプリングデータに検出したピークデータを挿入する。また、挿入したピークデータの時間情報を付加して、光量算出器１１０に出力する。これらの動作により、データ量を圧縮し、光量算出器１１０の演算規模を低減することができる。
【０１３８】
〈データ圧縮器の構成例、および動作例〉
続いて、データ圧縮器８００の動作について説明する。
【０１３９】
図９は、図８のデータ圧縮器８００の構成例、および動作例を示した説明図である。図９の上方は、データ圧縮器８００の構成例を示している。
【０１４０】
データ圧縮器８００は、ピーク挿入器９００、および時間軸生成器９０１を有する。ピーク挿入器９００の入力部には、しきい値処理器１０９から出力されるサンプリング／補間データが入力されるように接続されている。ピーク挿入器９００の出力部には、光量算出器１１０が接続されている。
【０１４１】
また、ピーク挿入器９００の挿入位置情報出力部には、時間軸生成器９０１の入力部が接続されており、時間軸生成器９０１の出力部には、光量算出器１１０が接続されている。
【０１４２】
また、図９の下方は、信号パルス検出器１０１におけるデータ例を示している。この図９の下方において、上方から下方にかけては、データ補間器１０８に入力されるサンプリングデータであるデータＤ１、しきい値処理器１０９によってしきい値処理されたしきい値処理後のデータＤ２、ピーク挿入器９００から出力されるピーク挿入後のデータＤ３、および時間軸生成器９０１から出力される時間軸付加後のデータＤ４をそれぞれ示している。
【０１４３】
データ補間器１０８にサンプリングデータとしてデータＤ１が入力される。データＤ１は、データ補間器１０８による補間データの生成、およびしきい値処理器１０９によるしきい値処理が行われ、該しきい値処理器１０９からしきい値処理後のデータＤ２が出力される。
【０１４４】
ピーク挿入器９００は、しきい値処理器１０９から出力されたデータＤ２から、信号パルス区間毎にピークデータを検出し、データＤ３のように検出したピークデータを挿入する。
【０１４５】
検出したピークデータが補間データであった場合には、該ピークデータをサンプリングデータ列に挿入する。ここで、しきい値処理後のサンプリングデータ列は、信号パルス区間の前後に必ず１データ以上の基準値データが存在する。この基準値データを１個削除し、ピークデータを１個挿入する。これにより、データ量の増加を抑制することが可能になる。
【０１４６】
時間軸生成器９０１は、ピーク挿入器９００から出力される挿入位置情報に基づいて、各サンプリングデータの時間情報を生成する。この時間軸生成器９０１は、信号パルス検出器１０１が測定を開始してから取得したサンプリングデータの数をカウントアップし、ピーク挿入器９００でのピークデータ挿入がない場合、 該カウントアップデータにＡ／Ｄ変換器１０７のサンプリング周期Ｔｓを乗算した結果を出力する。ピークデータの挿入がある場合には、以下の式にて挿入したピークデータの時間情報Ｔを算出する。
【０１４７】
Ｔ＝｛ＣＮＴ＋（ｍ／Ｎ）×Ｔｓ｝            （式１）
ここで、ＣＮＴは、ピークデータ挿入直前のサンプリングデータのカウントアップデータであり、Ｎは、データ補間数であり、ｍは、ピークデータが存在した補間データの列番号である。データ圧縮器８００は、ピーク挿入器９００と時間軸生成器９０１の２列のデータからなるデータＤ４を光量算出器１１０へ出力する。
【０１４８】
このように、信号パルス毎におけるサンプリングと１つのピークデータとが光量算出器１１０に出力されるだけであるので、光量算出器１１０における演算能力を小さくすることができ、回路規模を小さくすることが可能となる。
【０１４９】
〈データ形式の比較例〉
図１０は、前記実施の形態１における図２の信号パルス検出器と、図８の信号パルス検出器とのデータ形式の比較例を示す説明図である。
【０１５０】
図１０（ａ）は、図１の光量算出器１１０に入力されるデータ形式の一例を示したものであり、図１０（ｂ）は、図８の光量算出器１１０に入力されるデータ形式の一例を示したものである。この図１０では、いずれの場合もデータ補間数Ｎを２としている。また、図中の黒丸は、サンプリングデータを示し、黒三角は、補間データを示している。
【０１５１】
ここで、最初の信号パルスに注目すると、図１０（ａ）に示す光量算出器１１０に入力されるデータの場合には、しきい値とサンプリングデータとの間、および各サンプリングデータの間には、１つの補間データがそれぞれ付加されている。
【０１５２】
一方、図１０（ｂ）に示す光量算出器１１０に入力されるデータの場合には、サンプリングデータにピークデータとなった補間データのみ付加されて出力されることになるので、光量算出器１１０に入力されるデータ量が大幅に低減されていることがわかる。
【０１５３】
〈信号パルスの検出精度〉
図１１は、図８の信号パルス検出器１０１による信号パルスの検出精度を計算した一例を示す説明図である。計算には、図７（ａ）に示した理想的な信号パルス波形を用いており、データ補間数Ｎは２としている。
【０１５４】
図１１に示すように、サンプリングタイミングに依存した信号パルス波高の変動は、１１％程度であり、面積の変動は５％程度であり、前記実施の形態１と同程度の検出精度を達成できることが判る。
【０１５５】
このように、データ圧縮器８００は、しきい値処理器１０９から入力されたサンプリングデータ、および補間データからピークデータを検出し、サンプリングデータにピークデータを挿入し、該挿入したピークデータの時間情報を付加して、光量算出器に出力する。
【０１５６】
以上によって、データ補間数Ｎが２以上であっても、検出精度を劣化させることなく、光量算出器１１０に出力されるデータ列数を２列のみに抑制できる。すなわち、光量算出器１１０に出力するデータ量を圧縮し、該光量算出器１１０の演算規模を低減することが可能となる。
【０１５７】
（実施の形態３）
〈概要〉
図１の光検出器１０５の出力信号レベルは、通常、入射光の強度と波長により大きく異なる。例えば、光電子増倍管の場合には、波長により検出感度が大きく異なるため、波長の変化で出力信号レベルが３桁程度変化する。また、測定対象の濃度によって、図１のイオン−光変換器１０４が出力する光の強度も変動する。
【０１５８】
一方、Ａ／Ｄ変換器１０７では、精度よくアナログ信号をデジタルデータに変換できる入力信号レベルの範囲が決まっている。すなわち、広範囲に渡ってレベルが変動する光検出器１０５の出力信号を精度よく検出するためには、アンプの利得を調整してＡ／Ｄ変換器に入力可能な信号レベルに合わせる必要がある。
【０１５９】
そこで、本実施の形態３では、アンプの利得を調整してＡ／Ｄ変換器に入力可能な信号レベルに合わせる技術について説明する。
【０１６０】
〈信号パルス検出装置の構成例〉
図１２は、実施の形態３による信号パルス検出器の一例を示す説明図である。なお、ここでも、上記の説明と同様に、説明が煩雑になることを避けるため、前記実施の形態２と同一の符号をつけた構成要素についての説明は省略する。
【０１６１】
信号パルス検出器１０１は、図１２に示すように、アンプ１０６の代わりに可変利得アンプ１０６ａが設けられ、利得制御器１１２が新たに追加された点が図８と異なっている。その他のＡ／Ｄ変換器１０７、データ補間器１０８、しきい値処理器１０９、データ圧縮器８００、光量算出器１１０、および入出力装置１１１については、図８と同様の構成となっている。
【０１６２】
利得制御器１１２は、データ圧縮器８００から入力された信号パルスのピークデータから適切な可変利得アンプ１０６ａのゲインを設定する。
【０１６３】
〈利得制御器による利得制御例〉
以下、利得の制御技術の一例を説明する。
【０１６４】
利得制御器１１２には、入出力装置１１１を介して目標の入力信号レベルＤａと、可変利得アンプ１０６ａの初期ゲイン値Ｇ０とをそれぞれ設定しておく。利得制御器１１２は、信号パルスの測定中、データ圧縮器８００から入力される信号パルスのピークデータＤｐと目標の信号レベルＤａとの比であるゲイン誤差比Ｒａを計算する。
【０１６５】
Ｒａ＝Ｄｐ／Ｄａ        （式２）
計算したゲイン誤差比Ｒａと初期ゲイン値Ｇ０から、以下の式で求めたゲイン値Ｇ１を可変利得アンプ１０６ａに設定する。
【０１６６】
Ｇ１＝Ｇ０／Ｒａ        （式３）
また、同時に利得制御器１１２は、ゲイン誤差比Ｒａをデータ補間器１０８に出力する。データ補間器１０８は、可変利得アンプ１０６ａにてゲイン倍された信号パルスのサンプリングデータを該可変利得アンプ１０６ａにてゲイン倍される前のサンプリングデータに戻すために、Ａ／Ｄ変換器１０７から入力されるサンプリングデータにゲイン誤差比Ｒａを乗算する。
【０１６７】
ここで、補間したピークデータを用いて可変利得アンプ１０６ａの利得を調整することで、光検出器１０５が出力する信号パルスとＡ／Ｄ変換器１０７のサンプリングタイミングとが非同期であっても、信号パルスの波高変動を抑制して、精度よく利得を調整することが可能となる。
【０１６８】
すなわち、光検出器１０５の出力信号の強弱に合わせて、Ａ／Ｄ変換器１０７に入力する信号パルスのレベルを精度よく調整することが可能となり、広いダイナミックレンジの信号パルス検出器１０１を実現することができる。
【０１６９】
（実施の形態４）
〈概要〉
前記実施の形態１では、信号パルス検出器１０１を質量分析装置１００に用いた構成について記載したが、該信号パルス検出器１０１は、質量分析装置１００以外の装置においても適用が可能である。この場合、装置は、光電子増幅管（ＰＭＴ：PhotoMultiplier Tube）によって、検出対象から発生した光子を電気信号のパルスに変換するものであればよく、例えば分光光度計や電子顕微鏡などに適用することができる。
【０１７０】
〈分光光度計の構成例〉
図１３は、実施の形態４による信号パルス検出器１０１を用いて構成された分光光度計の一例を示す説明図である。
【０１７１】
分光光度計１１３は、図１３に示すように、光源１１４、分光器１１５、試料室１１６、光検出器１０５、および信号パルス検出器１０１を有する。
【０１７２】
分光光度計１１３では、光源１１４にて生成した白色光を分光器１１５へ入射する。分光器１１５は、入力された白色光から所望の単色光を取り出し、試料室１１６へ出力する。
【０１７３】
試料室１１６には、測定対象である試料が設置されており、その試料へ単色光を入射し、その透過光を光検出器１０５に入射する。光検出器１０５では、入射した光を電気信号に変換する。
【０１７４】
光検出器１０５から出力された信号パルスは、信号パルス検出器１０１に入力される。この信号パルス検出器１０１の動作については、前記実施の形態１と同様である。
【０１７５】
〈電子顕微鏡の構成例〉
図１４は、本実施の形態４による信号パルス検出器１０１を用いて構成された電子顕微鏡の一例を示す説明図である。
【０１７６】
電子顕微鏡１２１は、電子銃１１７、電場レンズ１１８、２次電子光変換器１１９、光検出器１０５、および信号パルス検出器１０１を有する。
【０１７７】
電子顕微鏡１２１は、電子銃１１７によって生成された電子線を電場レンズ１１８にて細く絞り、試料１２０の表面を走査する。
【０１７８】
電子銃１１７が生成した電子線の照射により、試料１２０の表面から発生した２次電子を２次電子光変換器１１９によって光に変換する。そして、２次電子光変換器１１９が変換した光を光検出器１０５にて電気信号に変換する。
【０１７９】
光検出器１０５から出力された信号パルスは、信号パルス検出器１０１に入力される。この信号パルス検出器１０１の動作については、前記実施の形態１と同様である。
【０１８０】
以上、本発明者によってなされた発明を実施の形態に基づき具体的に説明したが、本発明は前記実施の形態に限定されるものではなく、その要旨を逸脱しない範囲で種々変更可能であることはいうまでもない。
【０１８１】
なお、本発明は上記した実施の形態に限定されるものではなく、様々な変形例が含まれる。例えば、上記した実施の形態は本発明を分かりやすく説明するために詳細に説明したものであり、必ずしも説明した全ての構成を備えるものに限定されるものではない。
【０１８２】
また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換をすることが可能である。
【符号の説明】
【０１８３】
１００  質量分析装置
１０１  信号パルス検出器
１０２  イオン源
１０３  質量分析器
１０４  イオン−光変換器
１０５  光検出器
１０６  アンプ
１０６ａ  可変利得アンプ
１０７  Ａ／Ｄ変換器
１０８  データ補間器
１０９  しきい値処理器
１１０  光量算出器
１１１  入出力装置
１１２  利得制御器
１１３  分光光度計
１１４  光源
１１５  分光器
１１６  試料室
１１７  電子銃
１１８  電場レンズ
１１９  ２次電子光変換器
１２０  試料
１２１  電子顕微鏡
３０１  アップサンプラ
３０２  低域通過フィルタ
４０１  比較器
４０２  選択器
５０１  パルス検出器
５０２  遅延器
５０３  加算器
５０５  加算器
５１０  比較器
５１１  比較器
５１２  論理積回路
６０１  比較器
６０２  選択器
６０３  加算器
６０４  パルス面積演算器
６０５  加算器
６０６  出力制御器
６０７  遅延器
６０８  パルス検出器
８００  データ圧縮器
９００  ピーク挿入器
９０１  時間軸生成器
【図１】
2014222165.tif 000003
【図２】
2014222165.tif 000004
【図３】
2014222165.tif 000005
【図４】
2014222165.tif 000006
【図５】
2014222165.tif 000007
【図６】
2014222165.tif 000008
【図７】
2014222165.tif 000009
【図８】
2014222165.tif 000010
【図９】
2014222165.tif 000011
【図１０】
2014222165.tif 000012
【図１１】
2014222165.tif 000013
【図１２】
2014222165.tif 000014
【図１３】
2014222165.tif 000015
【図１４】
2014222165.tif 000016
【図１５】
2014222165.tif 000017